(57)【要約】【課題】撮像素子の前方に於いてガラスの曇りをより効率的に除去することができる車外監視装置を提供する。【解決手段】車外監視装置１０は、フロントガラス１２の内面近傍に配置され、車外の状況を撮影する撮像素子２９が組み込まれた撮像モジュール１３と、撮像モジュール１３を車室内側から覆う撮像カバー１４と、撮像カバー１４の内部に空気を取り込む送風ファン１５とを具備する。更に、車外監視装置１０は、撮像カバー１４の内部に形成され、撮像素子２９とフロントガラス１２との間に形成される空間と前記送風ファンとを繋ぐ送風路と、を具備する。【選択図】図１
2019137288.tif 000002
【特許請求の範囲】
【請求項１】
車外の状況を監視する車外監視装置であり、
ガラスの内面近傍に配置され、前記車外の状況を撮影する撮像素子および発熱素子が組み込まれた撮像モジュールと、
前記撮像モジュールを車室内側から覆う撮像カバーと、
前記撮像カバーの内部に空気を取り込むことで前記発熱素子を冷却し、且つ、前記空気を前記ガラス側に向かって送風する送風ファンと、
前記撮像カバーの内部に形成され、前記送風ファンより送風される前記空気が前記ガラス側に向かって流通する風路と、を具備することを特徴とする車外監視装置。
【請求項２】
前記風路は、前記撮像カバーの内面を壁状に突出させた風路壁で構成されることを特徴とする請求項１に記載の車外監視装置。
【請求項３】
前記ガラスに前記車室内側から取り付けられるブラケットと、を更に具備し、
前記撮像モジュールおよび前記撮像カバーは、前記ブラケットに取り付けられることを特徴とする請求項１または請求項２に記載の車外監視装置。
【請求項４】
前記撮像素子および前記ガラスの近傍に配置された反射抑制部材と、を更に具備し、
前記送風ファンで送風された前記空気は、前記反射抑制部材と前記ガラスとの間の空間に吹き出されることを特徴とする請求項１から請求項３の何れかに記載の車外監視装置。
【請求項５】
前記撮像モジュールは、離間した箇所に２つの前記撮像素子を有し、
前記送風ファンは、前記撮像素子同士の間の略中央に配置され、
前記送風ファンから送風された前記空気は、前記風路を経由して、各々の前記撮像素子と前記ガラスとの間に送風されることを特徴とする請求項１から請求項４の何れかに記載の車外監視装置。
【請求項６】
前記発熱素子は、前記撮像素子で得られる画像データを処理する画像処理素子であることを特徴とする請求項１から請求項５の何れかに記載の車外監視装置。
【請求項７】
前記送風ファンの下方の前記撮像カバーを開口することで、前記送風ファンで送風される前記空気が前記車室内から取り込まれる吸気口が形成されることを特徴とする請求項１から請求項６の何れかに記載の車外監視装置。
【請求項８】
前記反射抑制部材に加熱手段を設けることを特徴とする請求項４から請求項７の何れかに記載の車外監視装置。
【請求項９】
前記加熱手段は、温度計で計測した前記撮像素子の温度が一定以下の場合に、前記反射抑制部材を加熱することを特徴とする請求項８に記載の車外監視装置。
【発明の詳細な説明】
【技術分野】
【０００１】
本発明は、車外監視装置に関し、特に、車外の状況を撮像素子で監視する車外監視装置に関する。
【背景技術】
【０００２】
近年、ＣＭＯＳ等の固体撮像素子を内蔵した一対のステレオカメラを用いたステレオ式の車外監視装置が用いられている。この種の車外監視装置における車外認識では、ステレオカメラで車両の前方を撮影し、撮影された画像データに基づいて所定の演算処理を行い、具体的には三角測量の原理を用いて距離データを算出し、この距離データに周知のグルーピング処理等を施すことにより、撮像画像中の対象物を認識している。
【０００３】
上記したステレオカメラは、車室側のフロントガラスの直近に配置される。よって、フロントガラスに曇りが発生している場合、ステレオカメラで車外の状況を鮮明に撮影することができず、車外の対象物を正確に認識することが出来ない恐れがある。
【０００４】
特許文献１に、係る課題に対処するための発明が記載されている。この発明では、フロントガラス越しに外部を撮影する撮像素子と、撮像素子で取得した画像データを処理する電子部品を搭載する回路基板とが、ハウジングに内蔵されている。また、この電子部品から発生した熱を放出するための排気口が、ハウジングに形成されている。このようにすることで、電子部品から発生した熱が、撮像領域に含まれるフロントガラスに対して放出され、フロントガラスの曇りを抑止することができる。また、熱を効率よく伝導させるために、空気流を生成するファンを備えることも、特許文献１に記載されている。
【先行技術文献】
【特許文献】
【０００５】
【特許文献１】特開２０１７−９２７３６号公報
【発明の概要】
【発明が解決しようとする課題】
【０００６】
しかしながら、上記した特許文献１に記載された発明では、電子部品から発生した熱を、ファンを用いて効率的にフロントガラスに伝導させる発明は記載されているものの、具体的な空気流の経路等は検討されていない。よって、フロントガラスが曇ることをより効率的に抑止するためには、改善の余地があった。
【０００７】
また、フロントガラスの曇りを抑止する他の方法として、カメラ前方のフロントガラスをヒータパッチで加熱することも考えられる。しかしながら、そのようにするとヒータパッチを採用することでコストが上昇してしまう。また、かかる構成のためには、フロントガラスの曇りをモニタリングするフォギングセンサが必要になり、コストが更に上昇してしまう恐れもある。また、ヒータパッチの消費電力が大きい課題も存在する。
【０００８】
本発明は、上記の事情に鑑みてなされたものであり、その目的とするところは、撮像素子の前方に於いてガラスの曇りをより効率的に除去することができる車外監視装置を提供することにある。
【課題を解決するための手段】
【０００９】
本発明は、車外の状況を監視する車外監視装置であり、ガラスの内面近傍に配置され、前記車外の状況を撮影する撮像素子および発熱素子が組み込まれた撮像モジュールと、前記撮像モジュールを車室内側から覆う撮像カバーと、前記撮像カバーの内部に空気を取り込むことで前記発熱素子を冷却し、且つ、前記空気を前記ガラス側に向かって送風する送風ファンと、前記撮像カバーの内部に形成され、前記送風ファンより送風される前記空気が前記ガラス側に向かって流通する風路と、を具備することを特徴とする。
【００１０】
また、本発明の車外監視装置では、前記風路は、前記撮像カバーの内面を壁状に突出させた風路壁で構成されることを特徴とする。
【００１１】
また、本発明の車外監視装置では、前記ガラスに前記車室内側から取り付けられるブラケットと、を更に具備し、前記撮像モジュールおよび前記撮像カバーは、前記ブラケットに取り付けられることを特徴とする。
【００１２】
また、本発明の車外監視装置では、前記撮像素子および前記ガラスの近傍に配置された反射抑制部材と、を更に具備し、前記送風ファンで送風された前記空気は、前記反射抑制部材と前記ガラスとの間の空間に吹き出されることを特徴とする。
【００１３】
また、本発明の車外監視装置では、前記撮像モジュールは、離間した箇所に２つの前記撮像素子を有し、前記送風ファンは、前記撮像素子同士の間の略中央に配置され、前記送風ファンから送風された前記空気は、前記風路を経由して、各々の前記撮像素子と前記ガラスとの間に送風されることを特徴とする。
【００１４】
また、本発明の車外監視装置では、前記発熱素子は、前記撮像素子で得られる画像データを処理する画像処理素子であることを特徴とする。
【００１５】
また、本発明の車外監視装置では、前記送風ファンの下方の前記撮像カバーを開口することで、前記送風ファンで送風される空気が前記車室内から取り込まれる吸気口が形成されることを特徴とする。
【００１６】
また、本発明の車外監視装置では、前記反射抑制部材に加熱手段を設けることを特徴とする。
【００１７】
また、本発明の車外監視装置では、前記加熱手段は、温度計で計測した前記撮像素子の温度が一定以下の場合に、前記反射抑制部材を加熱することを特徴とする。
【発明の効果】
【００１８】
本発明は、車外の状況を監視する車外監視装置であり、ガラスの内面近傍に配置され、前記車外の状況を撮影する撮像素子および発熱素子が組み込まれた撮像モジュールと、前記撮像モジュールを車室内側から覆う撮像カバーと、前記撮像カバーの内部に空気を取り込むことで前記発熱素子を冷却し、且つ、前記空気を前記ガラス側に向かって送風する送風ファンと、前記撮像カバーの内部に形成され、前記送風ファンより送風される前記空気が前記ガラス側に向かって流通する風路と、を具備することを特徴とする。従って、送風ファンにより車室内部の空気を撮像カバーの内部に取り込み、風路を経由して、その空気を撮像素子とガラスとの間に形成される空間に送風することができる。また、この空気は、発熱素子を冷却することで温度上昇し、この状態で撮像素子とガラスとの間に送風される。よって、送風ファンは発熱素子を冷却する冷却ファンとして機能し、更に暖気を送風することでガラスの曇りを抑止する加熱ファンとしても機能することができる。よって、撮像素子の近傍のガラスが曇ることを防止することができ、更に、当該ガラスが曇っている場合はその曇りを除去することができる。このことから、撮像素子を用いて車外の状況を正確に監視することができる。
【００１９】
また、本発明の車外監視装置では、前記風路は、前記撮像カバーの内面を壁状に突出させた風路壁で構成されることを特徴とする。従って、撮像カバーの内面を内側に向かって壁状に突出させる簡素な構成で、風路を形成することができる。
【００２０】
また、本発明の車外監視装置では、前記ガラスに前記車室内側から取り付けられるブラケットと、を更に具備し、前記撮像モジュールおよび前記撮像カバーは、前記ブラケットに取り付けられることを特徴とする。従って、ガラスに取り付けられるブラケットに、撮像モジュールおよび撮像カバーを取り付けることで、撮像モジュールをガラスの直近に配置することができ、撮像素子の視野を広く確保することができる。
【００２１】
また、本発明の車外監視装置では、前記撮像素子および前記ガラスの近傍に配置された反射抑制部材と、を更に具備し、前記送風ファンで送風された前記空気は、前記反射抑制部材と前記ガラスとの間の空間に吹き出されることを特徴とする。従って、反射抑制部材は下方からガラスに入射する光を遮る部材であるため、ガラスに略密着するように設置される。よって、反射抑制部材とガラスとの間隙には曇りが発生しやすいが、送風ファンでこの間隙に送風することで、この部分のガラスに曇りが発生することを抑止することができる。
【００２２】
また、本発明の車外監視装置では、前記撮像モジュールは、離間した箇所に２つの前記撮像素子を有し、前記送風ファンは、前記撮像素子同士の間の略中央に配置され、前記送風ファンから送風された前記空気は、前記風路を経由して、各々の前記撮像素子と前記ガラスとの間に送風されることを特徴とする。従って、送風ファンを撮像素子同士の間の略中央に配置することで、送風ファンから送風される空気を、各々の撮像素子とガラスとの間に略均等に送風することができ、両撮像素子の近傍のガラスに曇りが発生することを抑止することができる。
【００２３】
また、本発明の車外監視装置では、前記発熱素子は、前記撮像素子で得られる画像データを処理する画像処理素子であることを特徴とする。従って、画像処理素子は計算時の発熱量が大きいが、その近傍に送風ファンを設置することで、画像処理素子を効率的に冷却し、画像処理素子の処理速度を一定に保つことができる。更に、画像処理素子を冷却することで高温となった空気を、撮像素子とガラスとの間に送風することで、より効果的にガラスの曇りを除去することができる。
【００２４】
また、本発明の車外監視装置では、前記送風ファンの下方の前記撮像カバーを開口することで、前記送風ファンで送風される空気が前記車室内から取り込まれる吸気口が形成されることを特徴とする。従って、送風ファンの下方に設けた開口部から空気を取り入れることで、効率的に吸気を行うことができる。
【００２５】
また、本発明の車外監視装置では、前記反射抑制部材に加熱手段を設けることを特徴とする。従って、反射抑制部材はガラスの直近に配置されているので、加熱手段でガラスを効果的に加熱することができ、曇りを除去する効果を顕著にすることができる。
【００２６】
また、本発明の車外監視装置では、前記加熱手段は、温度計で計測した前記撮像素子の温度が一定以下の場合に、前記反射抑制部材を加熱することを特徴とする。従って、撮像素子の温度が低い場合のみ、即ちガラスの温度が低く曇りが発生する恐れがある場合のみ、加熱手段は反射抑制部材を加熱するので、加熱手段による不必要な過熱を防止することができ、消費電力を少なくすることができる。
【図面の簡単な説明】
【００２７】
【図１】本発明の一実施形態に係る車外監視装置が組み込まれた車両を示す斜視図であり、（Ａ）は車両の前部を示す斜視図であり、（Ｂ）は車外監視装置が取り付けられる部分を拡大して示す斜視図である。
【図２】本発明の一実施形態に係る車外監視装置の接続構成を示す図である。
【図３】本発明の一実施形態に係る車外監視装置を示す図であり、（Ａ）および（Ｂ）は斜視図である。
【図４】本発明の一実施形態に係る車外監視装置を示す分解斜視図である。
【図５】本発明の一実施形態に係る車外監視装置を示す図であり、撮像カバーを示す斜視図である。
【図６】本発明の一実施形態に係る車外監視装置を示す図であり、（Ａ）および（Ｂ）は撮像カバーの内部に形成される風路を示す斜視図である。
【図７】本発明の一実施形態に係る車外監視装置を示す図であり、（Ａ）および（Ｂ）は車外監視装置の内部に形成される風路を示す斜視図である。
【発明を実施するための形態】
【００２８】
以下、本発明の一実施形態に係る車外監視装置１０を、図面に基づき詳細に説明する。以下の説明では、同一の部材には原則として同一の符番を用い、繰り返しの説明は省略する。また、以下の説明では上下前後左右の各方向を用いて説明するが、左右とは車両１１の前方を向いた場合の方向を示している。
【００２９】
図１（Ａ）を参照して、本実施の形態に係る車外監視装置１０は、例えば乗用車である車両１１に備えられている。車外監視装置１０は、フロントガラス１２の上端部付近、且つ、車両１１の左右方向に於いて略中央部に配設されている。ここでは、車外監視装置１０が配設されるガラスとして、フロントガラス１２を例示している。
【００３０】
図１（Ｂ）を参照して、車外監視装置１０は、フロントガラス１２のセラミックライン３１により遮蔽される部分の後方に配置されている。また、セラミックライン３１を部分的に切り欠いた箇所から、車外監視装置１０の撮像素子２９が前方に向かって露出している。撮像素子２９の視野角を広く確保するために、撮像素子２９は、車室内に於いて、フロントガラス１２の直近に配置されている。このようにすると、車外監視装置１０とフロントガラス１２との間隙が狭くなり、車外監視装置１０の近傍のフロントガラス１２に曇りが発生しやすくなる。本実施形態では、後述するように、車外監視装置１０に内蔵した送風ファン１５で、温風をこの間隙に向かって吹き付け、上記した曇りが発生することを抑止している。
【００３１】
図２を参照して、本実施形態に係る車外監視装置１０等の接続構成を説明する。車外監視装置１０は、撮像素子２９と、制御演算装置３４と、画像処理素子３２と、温度検出素子３３と、送風ファン１５と、を主要に有している。
【００３２】
撮像素子２９は、例えば、ＣＭＯＳやＣＣＤ等の固体撮像素子であり、フロントガラス１２を透過して、車両１１の前方側の車外環境を撮影する。本実施形態の車外監視装置１０は、ステレオカメラを構成する２つの撮像素子２９を有している。
【００３３】
制御演算装置３４は、ＣＰＵ、ＲＡＭ、ＲＯＭ等からなり、車外監視装置１０の各部位の動作を制御している。制御演算装置３４は、ＥＣＵ（Ｅｌｅｃｔｒｏｎｉｃ  Ｃｏｎｔｒｏｌ  Ｕｎｉｔ）とも称される。
【００３４】
画像処理素子３２は、制御演算装置３４の指示により、撮像素子２９から伝送される画像データに基づいて所定の画像処理を行う半導体素子である。画像処理素子３２は、ＦＧＰＡ（Ｆｉｅｌｄ  Ｐｒｏｇｒａｍｍａｂｌｅ  Ｇａｔｅ  Ａｒｒａｙ）からなる画像処理専用の半導体チップであり、画像処理を行う際には多くの排熱が生じる発熱素子である。本実施形態では、送風ファン１５で、車室内の空気を画像処理素子３２に向けて送風することで、画像処理素子３２の過熱を防止している。また、後述するように、画像処理素子３２を冷却した暖気をフロントガラス１２に向けて送風し、フロントガラス１２の曇りを除去している。
【００３５】
また、車両１１には、上記の他にも、温度検出素子３３、車両駆動装置３７、ヒータ３５、温度計３６が備えられている。
【００３６】
温度検出素子３３は、画像処理素子３２の温度を検出する素子である。車両駆動装置３７は制御演算装置３４の指示に基づいて、車両１１の駆動装置（エンジンやモータ）、制動装置（ブレーキ）、操舵装置（ハンドル）を制御する機構である。加熱手段であるヒータ３５は、後述する反射抑制部材１８を過熱する加熱装置であり、例えば電熱ヒータから成る。温度計３６は、撮像素子２９の温度を計測する。
【００３７】
ここで、車外監視装置１０の機能を説明する。車外監視装置１０は、車両用運転支援装置を構成している。具体的には、車外監視装置１０の画像処理素子３２は、車両前方を撮影する撮像素子２９から入力される基準画像データと比較画像データとに基づいて、距離データを算出する。更に、画像処理素子３２は、この距離データに対して周知のグルーピング処理を行い、各種立体物等を抽出する。ここで、立体物等とは、白線、ガードレール、縁石、２輪車、普通車両、大型車両、歩行者、電柱等である。
【００３８】
また、車両駆動装置３７は、画像処理素子３２および制御演算装置３４の指示に基づいて、駆動装置、制動装置および操舵装置を制御する。例えば、車両駆動装置３７は、制動装置および駆動装置を制御することで、車両１１を減速または停止することができる。また、車両駆動装置３７は、操舵装置を制御することで、車両１１の進行方向を是正することができる。更には、車両駆動装置３７は、駆動装置、制動装置および操舵装置を制御することで、車間距離制御付クルーズコントロール（ＡＣＣ；Ａｄａｐｔｉｖｅ  Ｃｒｕｉｓｅ  Ｃｏｎｔｒｏｌ）制御を行うことも出来る。
【００３９】
車外監視装置１０が曇りを除去する機能は次の通りである。使用者が車両１１を駆動させると、制御演算装置３４は、温度計３６を用いて撮像素子２９の温度を計測する。計測された温度が一定以下の場合、制御演算装置３４は、ヒータ３５で後述する反射抑制部材１８を加熱する。また、必要に応じて送風ファン１５を回転させることで、車室内の空気をフロントガラス１２に送風する。このようにすることで、反射抑制部材１８の近傍に於いてフロントガラス１２が加熱され、フロントガラス１２が曇ってしまうことが抑止され、撮像素子２９でフロントガラス１２を透過して車両１１の前方を鮮明に撮影することができる。また、ヒータ３５は反射抑制部材１８を加熱することから、ヒータ３５と撮像素子２９とは離れているので、撮像素子２９が不必要に加熱されることはない。
【００４０】
また、制御演算装置３４は、温度検出素子３３で測定した画像処理素子３２の温度が一定以上であれば、送風ファン１５を回転させることで、車室内の空気を画像処理素子３２に向かって送風する。このようにすることで、画像処理素子３２を冷却し、画像処理素子３２の過熱を防止する。また、送風ファン１５は、画像処理素子３２を加熱することで暖められた暖気を、撮像素子２９の前方のフロントガラス１２に送風する。このようにすることで、フロントガラス１２の曇りを抑制し、撮像素子２９でフロントガラス１２を透過して車両１１の前方をより鮮明に撮影することができる。後述するように、本実施形態では、画像処理素子３２を冷却することで暖められた暖気をフロントガラス１２に送風するための風路を形成しているが、かかる事項は後述する。
【００４１】
図３に車外監視装置１０を示す。図３（Ａ）は車外監視装置１０を前側上方から見た斜視図であり、図３（Ｂ）は車外監視装置１０を後側下方から見た斜視図である。
【００４２】
図３（Ａ）および図３（Ｂ）を参照して、車外監視装置１０は、上方から、ブラケット１７、反射抑制部材１８および撮像カバー１４とから構成されている。これらの部材は、例えば射出成型された合成樹脂から成る。ブラケット１７は、上記したフロントガラス１２の内面に接着固定されており、撮像カバー１４は、ブラケット１７に対して例えば嵌合固定されている。また、後述する撮像モジュール１３もブラケット１７に嵌合固定されている。
【００４３】
図３（Ａ）を参照して、反射抑制部材１８は、ブラケット１７の前端側且つ左右方向の両端部にそれぞれ組み込まれており、上方から見たら前方に向かって幅が広くなる略三角形形状を呈している。また、車外監視装置１０には、ステレオカメラを構成する２つの撮像素子２９が配設されるが、各撮像素子２９の前方にそれぞれ反射抑制部材１８が配置されている。反射抑制部材１８は、下方からフロントガラス１２に向かう光を遮断し、フロントガラス１２の内面で光が撮像素子２９側に反射することを抑制する部材である。ここで、反射抑制部材１８の前面周辺部は、フロントガラス１２の内面に略密着している。
【００４４】
また、反射抑制部材１８の内側側辺を部分的に開口することで、スリット１９が形成されている。スリット１９からは、上記した画像処理素子３２を冷却した空気が吹き出され、この空気は反射抑制部材１８の前方のフロントガラス１２を暖める。スリット１９から空気を前方に向かって送風することで、撮像素子２９の前方のフロントガラス１２の曇りをより確実に除去することができる。
【００４５】
また、上記したフロントガラス１２と反射抑制部材１８との間には僅かな間隙が形成されており、フロントガラス１２に吹き付けられた空気は、この間隙を流通して車室内に帰還する。
【００４６】
図３（Ｂ）を参照して、撮像カバー１４の下面を部分的に開口することで、吸気口２０が形成されている。吸気口２０は、多数がマトリックス状に配置されている。このようにすることで、吸気口２０の開口面積を大きく確保しつつ、撮像カバー１４の強度低下を抑止することができる。また、吸気口２０は、左右方向に於いて、車外監視装置１０の略中央に配置されている。これにより、吸気口２０から給気されて上記した送風ファン１５で送風される空気を、左右方向に均等に送風し、図３（Ａ）に示した各撮像素子２９の前方で曇りの除去および予防を良好に行うことができる。
【００４７】
図４は、上記した車外監視装置１０を構成するブラケット１７、撮像モジュール１３および撮像カバー１４を上下方向に離して示す分解斜視図である。
【００４８】
ブラケット１７は、所定形状に成形された合成樹脂板からなり、その前端部に反射抑制部材１８が取り付けられている。
【００４９】
撮像モジュール１３は、モジュール基板３０と、モジュール基板３０の左右方向両端に取り付けられた撮像部２８と、モジュール基板３０の上面に実装された画像処理素子３２と、モジュール基板３０の下面に取り付けられた送風ファン１５と、を主要に有している。
【００５０】
モジュール基板３０は、例えば、アルミニウムの金属板等から成る基板であり、撮像モジュール１３を全体的に支える。モジュール基板３０は、左右方向に沿って長手方向を有する略長方形形状を呈している。モジュール基板３０には、画像処理素子３２および送風ファン１５に加えて、他の半導体素子、抵抗、コンデンサ、各種センサ、これらを相互に接続する配線部材等が実装される。
【００５１】
撮像部２８は、モジュール基板３０の左右方向端部に取り付けられており、上記した撮像素子２９およびレンズ等が内蔵されている。
【００５２】
画像処理素子３２は、上記したように、撮像素子２９で撮影した画像データに基づいて所定の画像処理を行う半導体素子である。画像処理素子３２は、例えば、左右方向に於いて、モジュール基板３０の略中央に配置されている。また、画像処理素子３２を冷却するための放熱フィンが、画像処理素子３２に取り付けられても良い。
【００５３】
送風ファン１５は、例えば、軸流ファンまたは遠心ファンであり、上記した吸気口２０から車室内の空気を取り込み、その空気を送風する。送風ファン１５は、上記した温度検出素子３３で検出した画像処理素子３２の温度が所定の温度以上あった場合に、画像処理素子３２を冷却するべく回転して送風する。
【００５４】
撮像カバー１４は、上記した撮像モジュール１３および反射抑制部材１８を、下方からカバーする略蓋形状の保護部材である。撮像カバー１４の左右方向の両端部は、前方に向かって延伸している。撮像カバー１４の左右端部および前方端部は、上記したブラケット１７の左右端部および前方端部と一致している。よって、撮像モジュール１３は、ブラケット１７と反射抑制部材１８とで囲まれる空間に収納される。また、撮像カバー１４の一部を上方に向かって壁状に突出させることで、内側風路壁２２が形成されている。内側風路壁２２は、撮像カバー１４の内部に風路を形成するための部材であり、その詳細は後述する。
【００５５】
図５を参照して、撮像カバー１４の構成を詳述する。この図では、撮像カバー１４を上方後側から見た斜視図を示している。
【００５６】
この図を参照して、撮像カバー１４の左右方向中央部には吸気口２０が形成されており、吸気口２０から右方前側および左方前側に伸びる風路である供給風路１６が形成されている。供給風路１６は外側風路壁２１および内側風路壁２２で挟まれる空間として形成されている。外側風路壁２１および内側風路壁２２は、撮像カバー１４の底部を部分的に壁状に突出させた部位である。また、撮像カバー１４の前端付近に於いて、外側風路壁２１および内側風路壁２２は連続している。このことから、供給風路１６は、外側風路壁２１および内側風路壁２２でほぼ完全に囲まれた空間として形成される。
【００５７】
吸気口２０が形成された部分の供給風路１６の前後方向の幅は、他の部分の供給風路１６の前後方向の幅よりも広くされている。このようにすることで、吸気口２０から多くの空気を取り入れ、画像処理素子３２をより効果的に冷却することができる。更に、この冷却により高温に暖められた暖気を、供給風路１６を経由してフロントガラス１２に送風できることから、フロントガラス１２の曇りを防止する効果を大きくすることができる。
【００５８】
外側風路壁２１の右方側に於いて、前方先端部分の突出高さを低くすることで、低壁部２７が形成されている。同様に、外側風路壁２１の左方側に於いて、前方先端部分の突出高さを低くすることで、低壁部２６が形成されている。後述するように、外側風路壁２１および内側風路壁２２は、これらの部位の上端がモジュール基板３０、ブラケット１７または反射抑制部材１８に当接することで、閉風路である供給風路１６を形成している。一方、低壁部２６および低壁部２７の上端部は、モジュール基板３０等には到達しない。このように構成することで、低壁部２６および低壁部２７とモジュール基板３０等との間に、供給風路１６を流通した空気を前方に向かって吹き出す吹出部位が形成される。
【００５９】
上記のように撮像カバー１４に外側風路壁２１および内側風路壁２２を形成することで、撮像カバー１４全体の剛性を高めることができる。よって、衝突事故が発生した際に撮像カバー１４が破損してしまうことを抑制し、破損した撮像カバー１４により乗員が負傷してしまうことを防止することができる。
【００６０】
図６を参照して、撮像カバー１４の内部に於ける風路構成を詳述する。図６（Ａ）は１４を上側後方から見た斜視図であり、図６（Ｂ）は撮像カバー１４を上側前方から見た斜視図である。
【００６１】
図６（Ａ）および図６（Ｂ）を参照して、この図では、上記した送風ファン１５で送風される風路２４および風路２５を一点鎖線で示している。風路２４は上記した供給風路１６を左方側に流通する風路である。具体的には、風路２４は、吸気口２０から左方に向かって進行し、前方に向かって略直角に風路方向を変更し、低壁部２６の上方を乗り越え、ここでは図示しないフロントガラス１２に向かって送風される。一方、風路２５は、供給風路１６を右方側に流通する風路である。具体的には、風路２５は、吸気口２０から右方に向かって進行し、前方に向かって略直角に風路方向を変更し、低壁部２７の上方を乗り越え、ここでは図示しないフロントガラス１２に向かって送風される。
【００６２】
図７を参照して、上記した風路２４および風路２５を詳述する。図７（Ａ）は、車外監視装置１０を後方上側から見た斜視図であり、図７（Ｂ）は車外監視装置１０を前方上側から見た斜視図である。この図では、上記したブラケット１７は図示していない。
【００６３】
図７（Ａ）を参照して、風路２４および風路２５の後方部分は、モジュール基板３０で上方から覆われている。換言すると、風路２４および風路２５の後方部分は、下面が撮像カバー１４の底面から構成され、前方側面が内側風路壁２２で構成され、後方側面が外側風路壁２１で構成され、上面がモジュール基板３０で構成される。
【００６４】
モジュール基板３０の上面には、動作時に発熱する画像処理素子３２が実装されている。モジュール基板３０の長手方向下面に沿って風路２４および風路２５を形成することで、送風される空気とモジュール基板３０とが熱交換する時間を長くすることができ、モジュール基板３０を経由して画像処理素子３２を効率的に冷却することができる。
【００６５】
また、内側風路壁２２の前方部分は、ここでは図示しないブラケット１７の下面に当接している。また、外側風路壁２１の前方部分は、ここでは図示しない反射抑制部材１８の下面に当接している。かかる構成で、風路２４および風路２５の前方部分が形成されている。
【００６６】
図７（Ｂ）を参照して、上記した風路２４は、左方の反射抑制部材１８の内側側面に形成されたスリット１９から、反射抑制部材１８の上面に向かって形成されている。即ち、スリット１９から吹き出された空気は、反射抑制部材１８とフロントガラス１２（ここでは図示しない）との間隙に導入される。同様に、風路２５は、右方の反射抑制部材１８の内側側面に形成されたスリット１９（ここでは図示しない）から、反射抑制部材１８とフロントガラス１２（ここでは図示しない）との間に向かっている。風路２４および風路２５を構成する暖気は、反射抑制部材１８の前方のフロントガラス１２を暖め、フロントガラス１２が曇ることを防止する。
【００６７】
ここで、送風ファン１５は、車外監視装置１０の左右方向に於ける略中央に配設されている。換言すると、送風ファン１５は、撮像素子２９同士の間の略中央に配置されている。従って、風路２４の風量と風路２５の風量とを同等にすることができ、同程度に暖められた空気を風路２４および風路２５に供給することができる。よって、個々の撮像素子２９の近傍に於いて、曇り除去の効果を均等且つ充分に奏することができる。
【００６８】
以上、本発明の実施形態を示したが、本発明は、上記実施形態に限定されるものではない。
【００６９】
例えば、図３を参照して、撮像カバー１４とルームミラーとを一体化し、または、撮像カバー１４とルームミラーとを結合しても良い。このようにすることで、ルームミラーのカバーに上記した吸気口２０を形成することで、車室側から吸気口２０が視認されなくなり、車外監視装置１０の意匠性を向上することができる。
【符号の説明】
【００７０】
１０   車外監視装置
１１   車両
１２   フロントガラス
１３   撮像モジュール
１４   撮像カバー
１５   送風ファン
１６   供給風路
１７   ブラケット
１８   反射抑制部材
１９   スリット
２０   吸気口
２１   外側風路壁
２２   内側風路壁
２４   風路
２５   風路
２６   低壁部
２７   低壁部
２８   撮像部
２９   撮像素子
３０   モジュール基板
３１   セラミックライン
３２   画像処理素子
３３   温度検出素子
３４   制御演算装置
３５   ヒータ
３６   温度計
３７   車両駆動装置
【図１】
2019137288.tif 000003
【図２】
2019137288.tif 000004
【図３】
2019137288.tif 000005
【図４】
2019137288.tif 000006
【図５】
2019137288.tif 000007
【図６】
2019137288.tif 000008
【図７】
2019137288.tif 000009